(57)【要約】      （修正有）【課題】本考案は、踵の前部を伸ばし、その先に伸縮性を抑えた編地を配することにより、後処理工程を必要とせず着用時における窮屈感が少なく、踵ポケットのホールド性能を高めた靴下を提供する。【解決手段】脚部２、踵部３、甲部４Ａおよび足底部よりなる足部４、つま先部５より編成される靴下は、踵部３に、編目の増減による踵ポケットに連設して、編目を減じて編成する踵前編目減部３ｃを有し、足部４の足底部は、編目減部３ｃに隣接した低伸縮組織による低伸縮部４ｂを配設した構成を具備している。【選択図】図３
0003208596.tif 000002
【実用新案登録請求の範囲】
【請求項１】
脚部、踵部、甲部および足底部よりなる足部、つま先部より編成される靴下において、
前記踵部は、編目の減増による踵ポケットに連設して、編目を減じた踵前編目減部を有し、前記足部の足底部は、前記編目減部に隣接した低伸縮組織による低伸縮部を配設してなる靴下。
【請求項２】
脚部、踵部、甲部および足底部よりなる足部、つま先部より編成される靴下において、
前記踵部は編目の減増による踵ポケットに連設して、編目を減増して構成する踵前編目減増部を有し、前記足部の足底部は、前記編目減増部に隣接した低伸縮組織による低伸縮部を配設してなる靴下。
【請求項３】
前記低伸縮部は、ニット組織と低伸縮組織を１ウエールごとに配設した構成である請求項１または２記載の靴下。
【請求項４】
前記低伸縮部は、ニット組織の後に低伸縮組織を２目配設した構成である請求項１または２記載の靴下。
【請求項５】
前記低伸縮組織は、ミス編み、フロート編み、あるいはタック編みであることを特徴とする請求項１ないし４記載の靴下。
【考案の詳細な説明】
【技術分野】
【０００１】
本考案は、靴下、特に紳士用の通称ドレスソックス、ビジネスソックスに関する。
【背景技術】
【０００２】
一般的にドレスソックスはビジネススタイルのファッションに合うようデザインされており、薄手で膝までの長め丈を有し、ふくらはぎの上部にフットする構成となっている。
薄手のドレスソックスは、通常はハイゲージで伸縮性の小さな素材を使用し、編目の増減だけで踵形状（ポケット）を形成しているが、足のかかと形状にぴったりとフィットし難く、履き心地の悪い欠点があった。
そのため、度目設定などで足首巾、足巾の開き設定を小さくするなど、設計変更を行っているが、足首巾、足巾を小さくしすぎると着用時に窮屈感の強い靴下（ソックス）となってしまった。
【０００３】
また、薄地で伸縮性が良く履きやすくずれ落ちにくい紳士用ビジネスソックスが、下記特許文献１に開示されている。このソックスは選択した細い編み糸で度目を粗く編成した後に、熱処理により収縮させる構成となっている。
【先行技術文献】
【特許文献】
【０００４】
【特許文献１】特開２００１−１６４４０６号公報
【考案の概要】
【考案が解決しようとする課題】
【０００５】
そこで、本考案は、踵の前部を伸ばし、その先に伸縮性を抑えた編地を配することにより、後処理工程を必要とせず着用時における窮屈感が少なく、踵ポケットのホールド性能を高めた靴下を提供する。
【課題を解決するための手段】
【０００６】
本考案の脚部、踵部、甲部および足底部よりなる足部、つま先部よりなる靴下において、前記踵部は、編目の増減による踵ポケットに連設して、編目を減じて編成する踵前編目減部を有し、前記足部の足底部は、前記編目減部に隣接した低伸縮組織による低伸縮部を配設した構成を具備している。
あるいは、編目を減増して構成する踵前編目減増部を有している。
【０００７】
ここで、低伸縮部は、ニット組織（平織）と低伸縮組織を１ウエールごとに配設した構成、または、ニット組織（平織）の後に低伸縮組織を２目配設した構成である。
前記低伸縮組織は、ミス編み（フロート編み）、あるいはタック編みであることを特徴とする。
【考案の効果】
【０００８】
本考案は、ドレスソックスなどの薄手の靴下において、踵ポケットから爪先方向前部に台形状の編目減部、又は編目減増部を配設して、踵ポケットの前部に余裕を持たせるとともに、踵前編目減・減増部に連続して、足底部には巾方向（コース方向・靴下甲方向）への伸縮性を抑えた編地（低伸縮部）を配して踵ポケットのホールド性を高めている。この低伸縮部は足底長さ方向（ウエール方向）への伸長も小さくしているが、編目減部、又は編目減増部が靴下長さ方向への伸びの減少を補い、足部甲側と足底側への伸長性能のバランスを調整し、着用時の窮屈感を解消させている。
このように、本考案の靴下は、着用時における窮屈感が少なく、踵ポケットの保持性能が良い薄手でファッション性を有し、ビジネススタイルへの対応も良好な靴下を、編成により構成できる。
【図面の簡単な説明】
【０００９】
【図１】図１は、本考案の全体説明図。
【図２】図２は、踵部、足部の拡大説明図。
【図３】図３は、靴下編成の設計図。
【図４】図４は、低伸縮部の編目説明図。
【図５】図５は、靴下編成の他の設計図。
【考案を実施するための形態】
【００１０】
以下、本考案の実施の形態について図面を用いて説明する。
【００１１】
図１は、本考案の靴下１０の側面図を示す。
靴下１０は、丸編み靴下機で編成している。靴下１０は、口編部１、脚部２、踵部３、足部４、爪先部５で編成されている。足部４は、靴下を履いたとき、足の甲を被覆する甲部４Ａと足底を被覆する足底部４Ｂを有している。
【００１２】
口編部１は適宜伸縮性を有する組織で編み機全針を用いて、筒状に適宜長さを編成する。
脚部２は、口編部１に連続して全針を用いて筒状に、例えば畝編みにより編成し、その長さは長靴下（膝丈まで）の寸法とする。
なお、靴下の脚部の長さは、ふくらはぎ丈、足首丈など、適宜長さとすることができる。
脚部２から足部４の甲部４Ａは、脚部２の編成、例えば畝編みを連続して編成する。
踵部３は足甲部を編成する編針を休ませて編成し、踵部（踵ポケット）編成後に足部４を編成する。
【００１３】
踵部３、足部４は図２、図３を参照して説明する。
図２は踵部３、足部４の編成の説明図、図３は図１に示した靴下１０を編成するための設計図である。図３の横幅は丸編み機の一周分を展開して表しており、符号ＢＣは靴下の後足底中心線、符号ＦＣは靴下の前足甲部中心線になる箇所を示す。
【００１４】
踵部３の編成は脚部２の編成に連続して編成する。後ろ中心線ＢＣから等距離、コース幅Ｈにおいて編成し、他の編針は休止している。コース幅Ｈにおいて任意のコースごとに編み地両端の編み幅を減じて第１の台形編地３ａを編成する。以後編み幅を増加して第２の台形編地３ｂを編成する。第２の台形編地３ｂは第１の台形編地３ａと頂辺を同じくする。第１の台形編地３ａの最初のコース幅Ｈと等しくなるまで編成する。
引き続き踵最終コースに連続して編目を減じて踵前編目減部３ｃを形成する。
【００１５】
足部４は、踵部３編成時に休んでいた編み針全針を作動させて、編成する。
足部４は脚部２に連続して編成される甲部４Ａ、幅Ｈに編成される足底部４Ｂよりなる。足底部４Ｂは、低伸縮部４ｂ、平編足部４ｃの順に編成されている。
低伸縮部４ｂは、踵前編目減部３ｃに隣接してコース幅Ｈにおいて足底部４Ｂに形成される。低伸縮部４ｂはフロート組織、あるいはタック組織などを用いた低伸縮組織により形成される。例えば、１コース毎、１ウエール毎にフロート編み、またはタック編みを編み込んでいる。
【００１６】
低伸縮組織の編成組織を模式的に示すと、低伸縮部４ｂの構成として、図４（Ａ）に示すように、１コース毎、１ウエール毎にニット（平）編み（○印）とミス（フロート）編み（−印）を交互に切り替えた組織で構成する。あるいは、１コース毎、１ウエール毎にニット（平）編み（○印）とタック編み
0003208596.tif 000003
を交互に切り替えた組織で構成する。
または、図４（Ｂ）に示すように、ニット（平）編み（○印）後にミス（フロート）編み（−印）を二目配し、３コースで一巡する組織で構成する。あるいは、ニット（平）編み（○印）後にタック編み
0003208596.tif 000004
を二目配し、３コースで一巡する組織で構成する。
低伸縮部４ｂは適宜長さｈ、ほぼ足底寸法の１／４〜１／３程度編成される。
【００１７】
このように形成される低伸縮部４ｂは、フロート編み、タック編みなどによりコース方向への伸縮性が小さくなり、足巾（コース）方向への靴下の伸長が抑制され、足底の踵部分（ポケット）のホールド性能が高まる。また、低伸縮部４ｂは、靴下長さ方向への伸長も小さいけれど抑制するが、踵前編目減部３ｃが伸びの減少を補っている。
低伸縮部４ｂに隣接して平編みによる平編足部４ｃと、例えば畝編みによる足甲部４Ａを連続形成する。
そして、足部４に連続して平編みにより爪先部５を編成する。
【００１８】
この実施の形態例では、踵ポケットの最終コースに隣接して足底部の低伸縮部を編成しているが、靴下のサイズや形状によっては、数コース足底部を編成した後に低伸縮部を配設しても良い。
本考案の靴下１０は、踵部３と足部４の間に踵前編目減部３ｃを介在させているので、踵ポケットの前部に余裕部分が形成され、着用時における窮屈感が減少される。また、踵前編目減部３ｃに連続した低伸縮部４ｂが、靴下巾（コース）方向への伸長を抑制して、踵のホールド性能を高めることが出来る。さらに、低伸縮部４ｂは小さいけれども靴下長さ（ウエール）方向への延びも抑制するが、踵前編目減部３ｃが低伸縮部４ｂの足底長さ方向への伸びの減少を補い、靴下巾方向と長さ方向の伸長性能のバランスを調整し、着用時の窮屈感を解消させている。
【００１９】
なお、踵ポケットの踵前編目減部は、図５に示すように、編目を減し、そののち、編目を増して、踵前編目減増部３ｄを形成する場合もある。
この実施例においては、踵ポケットがより丸く形成でき、余裕部分と伸長抑制部の効果を高めることが出来る。
【符号の説明】
【００２０】
１  口編み部
２  脚部
３  踵部
３ａ  第１の台形編地
３ｂ  第２の台形編地
３ｃ  踵前編目減部
４  足部
４Ａ  足甲部
４Ｂ  足底部
４ｂ  低伸縮部
４ｃ  平編足部
５  爪先部
【図１】
0003208596.tif 000005
【図２】
0003208596.tif 000006
【図３】
0003208596.tif 000007
【図４】
0003208596.tif 000008
【図５】
0003208596.tif 000009